(57)【要約】      （修正有）【課題】容易に組み立てることができ、製品が箱に入った状態でも抜き取ることができる仕切体、及びこのような仕切体を備える仕切体付箱を提供する。【解決手段】１枚のシート材からなり、上側縦仕切板３、下側縦仕切板４及び複数の横仕切板５を有するシート体を備え、上記上側縦仕切板３が、下端部分に突設され、それぞれが鉛直方向に形成される側縁８を有する複数の下向き突起部７を備え、上記下側縦仕切板４が、上記複数の下向き突起部７と対をなすように上端部分に突設され、それぞれが鉛直方向に形成される側縁１１を有する複数の上向き突起部１０を備え、上記複数の横仕切板５が、上記各対をなす下向き突起部７と上向き突起部１０との側縁間をそれぞれ連結している仕切体１である。【選択図】図１
0003178905.tif 000002
【実用新案登録請求の範囲】
【請求項１】
１枚のシート材からなり、上側縦仕切板、この上側縦仕切板の下方に配設される下側縦仕切板、及び上記上側縦仕切板と下側縦仕切板とを連結する複数の横仕切板を有するシート体を備え、
上記上側縦仕切板が、下端部分に突設され、鉛直方向に形成される側縁を有する複数の下向き突起部を備え、
上記下側縦仕切板が、上記複数の下向き突起部と対をなすように上端部分に突設され、鉛直方向に形成される側縁を有する複数の上向き突起部を備え、
上記各対をなす下向き突起部と上向き突起部とは、これらの上記各側縁間の距離が全て同一となるよう対向配置されており、
上記複数の横仕切板が、上記各対をなす下向き突起部と上向き突起部との側縁間をそれぞれ連結している仕切体。
【請求項２】
隣り合う上記下向き突起部の側縁間の距離が、全て上記各対をなす下向き突起部と上向き突起部との側縁間の距離と等しい請求項１に記載の仕切体。
【請求項３】
上記各横仕切板が、上記下向き突起部及び上向き突起部の側縁以外と実質的に接していない請求項１又は請求項２に記載の仕切体。
【請求項４】
上記下向き突起部の側縁にミシン目線が形成されており、
上記上向き突起部の側縁にハーフカット線が形成されている請求項１、請求項２又は請求項３に記載の仕切体。
【請求項５】
上記上側縦仕切板の上縁間で連結された２つのシート体からなり、
点対称又は線対称形状を有する請求項１から請求項４のいずれか１項に記載の仕切体。
【請求項６】
箱、及び
上記各側縁に沿って折り込まれ、上記箱内に収納される請求項１から請求項５のいずれか１項に記載の仕切体
を備える仕切体付箱。
【考案の詳細な説明】
【技術分野】
【０００１】
本考案は、通い箱や段ボール箱等の箱内に収容して箱内を仕切る仕切体、及び仕切体付箱に関する。
【背景技術】
【０００２】
通い箱や段ボール箱等の箱に製品を複数個を収納する場合、製品同士の接触による傷つきや破損、及び物流、保管時の移動、振動、積み重ね等の負荷による変形や破損を防ぐために緩衝材として様々なものが用いられている。一般的に、このような緩衝材の中でも、利用のしやすさ及び経済的な観点等から段ボール紙等、板状のシート材からなる仕切体が広く用いられている。
【０００３】
この仕切体は、空間を縦方向に仕切る縦仕切板と、空間を横方向に仕切る横仕切板とを備え、これらが垂直に組み合わされて形成される。ここで、空間を６区画以上に仕切る場合は、底板により連結された２枚以上の横仕切板を備える、いわゆる舟形仕切体と呼ばれるものが用いられている（特開平１１−３０１６４６号公報、特開平１１−３４８９７１号公報及び特開２００４−２７６９２４号公報参照）。
【０００４】
このような舟形仕切体は、底板を備えることで組み立てた際の形状が安定し、その形状を維持することができる。しかし、従来の仕切板も、この舟形仕切体も、縦仕切板と横仕切板との少なくとも２つを組み合わせて形成する必要があるため煩雑である。空間をより多数に区切る構造になるほど、この煩雑さは顕著になる。また、上記舟形仕切体を用いた箱に製品を収納した状態において、箱から舟形仕切体を取り除こうとすると、底板が邪魔になり、仕切体だけを抜き取ることができない。そのため、製品を箱に入れた状態で展示したいような場合、一端製品を取り出した後に、舟形仕切体を取り出し、再度製品を箱に収納するという作業が必要となる。また、舟形仕切体を用いると、箱の底において、底板がある部分と無い部分とが生じる。このため、製品を収納した際に、収納した部分により底板の厚み分だけ製品の高さがずれ、その状態で展示した際の不統一感が生じるという不都合もある。
【先行技術文献】
【特許文献】
【０００５】
【特許文献１】特開平１１−３０１６４６号公報
【特許文献２】特開平１１−３４８９７１号公報
【特許文献３】特開２００４−２７６９２４号公報
【考案の概要】
【考案が解決しようとする課題】
【０００６】
本考案はこれらの事情に鑑みてなされたものであり、容易に組み立てることができ、製品が箱に入った状態でも抜き取ることができる仕切体、及びこのような仕切体を備える仕切体付箱の提供を目的とするものである。
【課題を解決するための手段】
【０００７】
上記課題を解決するためになされた考案は、
１枚のシート材からなり、上側縦仕切板、この上側縦仕切板の下方に配設される下側縦仕切板、及び上記上側縦仕切板と下側縦仕切板とを連結する複数の横仕切板を有するシート体を備え、
上記上側縦仕切板が、下端部分に突設され、鉛直方向に形成される側縁を有する複数の下向き突起部を備え、
上記下側縦仕切板が、上記複数の下向き突起部と対をなすように上端部分に突設され、鉛直方向に形成される側縁を有する複数の上向き突起部を備え、
上記各対をなす下向き突起部と上向き突起部とは、これらの上記各側縁間の距離が全て同一となるよう対向配置されており、
上記複数の横仕切板が、上記各対をなす下向き突起部と上向き突起部との側縁間をそれぞれ連結している仕切体である。
【０００８】
当該仕切体は、このように１枚のシート材からなり、一対の縦仕切板が複数の横仕切板で連結された形状を有するシート体を備える。このような形状からなる当該仕切体によれば、上記側縁に沿って折り曲げることのみで、並行に配置される上側仕切板及び下側縦仕切板と、これらの間に垂直に配置される複数の横仕切板とからなる立体構造に容易に組み立てることができる。また、当該仕切体は底板を有さないため、製品が箱に入った状態でも抜き取ることができる。
【０００９】
隣り合う上記下向き突起部の側縁間の距離が、全て上記各対をなす下向き突起部と上向き突起部との側縁間の距離と等しいことが好ましい。このようにすることで、組み立てた際、縦仕切板と横仕切板とで正方形状の空間を形成することができ、円柱等の形状の製品の収納に好適となる。
【００１０】
上記各横仕切板が、上記下向き突起部及び上向き突起部の側縁以外と実質的に接していないことが好ましい。このようにすることで、一枚の平らなシート状態から側縁に沿って横仕切板を容易に折り起こすことができ、より容易に組み立てることができる。
【００１１】
上記下向き突起部の側縁にミシン目線が形成されており、上記上向き突起部の側縁にハーフカット線が形成されているとよい。このように各側縁にミシン目線又はハーフカット線を形成することで、横仕切板の折り起こしをより容易に行うことができる。
【００１２】
上記上側縦仕切板の上縁間で連結された２つのシート体からなり、点対称又は線対称形状を有することが好ましい。このように２つのシート体を連結した形状とすることで、組み立てた際、一対の縦仕切板を中心に両方向に横仕切板を配設することができ、形成する空間数を増やすことができる。
【００１３】
上記課題を解決する別の考案は、
箱、及び
上記各側縁に沿って折り込まれ、上記箱内に収納される当該仕切体
を備える仕切体付箱である。
【００１４】
当該仕切体付箱は、当該仕切体が収納されているため組み立てが容易であり、製品が入った状態でもこの仕切体を抜き取ることができる。
【００１５】
ここで、「上」及び「下」とは、組み立てた状態における一方向及びこれと反対側の方向を指すものであり、使用の際の方向を特定するものではない。また、「側縁間の距離」とは、２つの側縁又はその延長線とこれに直交する直線とにより形成される２つの交点間の距離をいう。
【考案の効果】
【００１６】
以上説明したように、本考案の仕切体は、組み立てが容易であり、製品が箱に入った状態でも抜き取ることができる。従って、本考案の仕切体は、通い箱や製品梱包用の段ボール箱等に好適に用いることができる。また、この仕切体を備える仕切体付箱は、通い箱や製品梱包用の段ボール箱等として好適である。
【図面の簡単な説明】
【００１７】
【図１】本考案の第一実施形態に係る仕切体を示す平面図である。
【図２】図１の仕切体を組み立てた状態を示す斜視図である。
【図３】図２の仕切体を収容した仕切体付箱を示す平面図である。
【図４】本考案の第二実施形態に係る仕切体を示す平面図である。
【考案を実施するための形態】
【００１８】
以下、適宜図面を参照しつつ本考案の仕切体及び仕切体付箱の実施の形態を詳説する。
【００１９】
（仕切体：第一実施形態）
図１の仕切体１は、１枚のシート材からなるシート状体である。上記シート材の材質としては、シート状を形成することができ、仕切体の素材としての一定の強度及びクッション性を有するものであれば特に限定されず、厚紙等の紙類や、ポリビニル樹脂等の合成樹脂等を用いることができる。この中でも厚紙、特に段ボール紙が好適に用られる。シート材が、段ボール紙からなることで、加工及び折り曲げによる組み立てを容易に行うことができる。また、シート材が段ボール紙からなることで、適度な厚みを有するためにクッション性に優れるとともに、形状が箱内で安定して固定される。
【００２０】
上記シート材に用いられる段ボール紙は、波状の中芯と、この中芯の片面又は両面に張り合わされるライナとからなる構造を有している。
【００２１】
仕切体１は、同一形状の２つのシート体２（２ａ、２ｂ）からなる。各シート体２は、上側縦仕切板３、下側縦仕切板４、及び４枚の横仕切板５をそれぞれ有する。シート体２の大きさとしては特に限定されず、この仕切体１を用いる通い箱や段ボール箱等の大きさに応じて適宜設定される。以下、図１における下側のシート体２ａについて、その形状等を説明する。
【００２２】
上側縦仕切板３は、略方形状の上側縦仕切板本体６と、この上側縦仕切板本体６の下縁から突出する４つの下向き突起部７とからなる。
【００２３】
上側縦仕切板本体６は略方形状体である。この上側縦仕切板本体６の上側の一方の角は丸められている。このように角が丸められていることで、仕切体１を組み立てた状態で、製品を収納しやすくなる。
【００２４】
各下向き突起部７は、上側縦仕切板３の下端部分に突設されている。４つの下向き突起部７のうち、右端以外の３つの下向き突起部７ａは略直角二等辺三角形状の同一形状である。右端の下向き突起部７ｂは略長方形状を有する。いずれの下向き突起部７も、鉛直方向（上下方向）に形成される側縁８をそれぞれ左端に有する。この側縁８の長さとしては、例えば１ｃｍ以上５ｃｍ以下程度である。これらの下向き突起部７は、この側縁８間が等間隔となるように配置されている。この側縁８間の間隔、すなわち各下向き突起部７の幅としては、例えば２ｃｍ以上１０ｃｍ以下である。
【００２５】
下側縦仕切板４は、上側縦仕切板３の下方に配設されている。下側縦仕切板４は、略方向形状の下側縦仕切板本体９と、この下側縦仕切板本体９の上縁から突出する４つの上向き突起部１０とからなる。
【００２６】
下側縦仕切板本体９は略方形状体である。この下側縦仕切板本体９の下側の両方の角は丸められている。このように角が丸められていることで、仕切体１を組み立てた状態で箱に収納しやすくなる。
【００２７】
各上向き突起部１０は、上記４つの下向き突起部７と対をなすように下側縦仕切板４の上端部分に突設されている。４つの上向き突起部１０のうち、左端以外の３つの下向き突起部１０ａは同一形状である。これらの下向き突起部１０ａも、左端の下向き突起部１０ｂも略直角二等辺三角形状である。いずれの下向き突起部１０も、鉛直方向（上下方向）に形成される側縁１１をそれぞれ右端に有する。この側縁１１の長さとしては、例えば１ｃｍ以上５ｃｍ以下程度である。
【００２８】
上記各対をなす下向き突起部７と上向き突起部１０とは、これらの上記各側縁（側縁８と側縁１１）間の距離が全て同一となるよう対向配置されている。なお、この対となる側縁８と側縁１１とは、完全に向かい合って対向していなくてよく、ずれて平行に向かい合っている。この対をなす側縁８と側縁１１との距離は、組み立てた際の上側縦仕切板３と下側縦仕切板４との距離となる。従って、この距離は収納する製品のサイズによって適宜設定され、例えば１ｃｍ以上１０ｃｍ以下とすることができる。
【００２９】
隣り合う上記下向き突起部７の側縁８間の距離は、全て上記各対をなす下向き突起部７と上向き突起部１０との側縁間の距離（側縁８と側縁１１との間の距離、すなわち間隔）と等しい。この距離は、隣り合う上記上向き突起部１０の側縁１０間の距離とも等しい。すなわち、上向き突起部１０の側縁１１は、下向き突起部７の側縁８に対して上記距離分左方向にずれた位置に配置されている。このようにされていることで、組み立てた際、縦仕切板（上側縦仕切板３及び下側縦仕切板４）と横仕切板５とで正方形状の空間を形成することができ、円柱等の形状の製品の収納に好適となる。
【００３０】
４枚の横仕切板５は、上記上側縦仕切板３と下側縦仕切板４とを連結している。具体的には、各横仕切板５は、各対をなす下向き突起部７と上向き突起部１０との側縁間（側縁８と側縁１１との間）をそれぞれ連結している。
【００３１】
各横仕切板５は、略平行四辺形状を有している。但し、下向き突起部７及び上向き突起部１０との連結部分（側縁８及び側縁１１）以外の辺は、内側に湾曲した形状となっている。各横仕切板５をこのような形状とすることで、シート体２ａに孔部１２ａ、１２ｂが形成され、各横仕切板５が、上記下向き突起部７及び上向き突起部１０の側縁８、１１以外と実質的に接していない形状となっている。ここで、実質的に接していないとは、点で接している部分があってもよいことを意味する。このようにすることで、一枚の平らなシート状態から、上記孔部１２ａ、１２ｂに指を差し込み、側縁８、１１に沿って横仕切板５を容易に折り起こすことができ、より容易に組み立てることができる。
【００３２】
上記下向き突起部７と横仕切板５との連結部分、すなわち側縁８には、罫線加工としてミシン目線が形成されている。ミシン目線とは、切り込みの繰り返しからなる線をいう。また、上記上向き突起部１０と横仕切板５との連結部分、すなわち側縁１１には、罫線加工としてハーフカット線が形成されている。ハーフカット線とは、一方の面側には切り込みが入っているものの、この切り込みが他方の面まで貫通していない線をいう。このハーフカット線は、図１における表面側に切り込みが入っている。このように各側縁にミシン目線又はハーフカット線を形成することで、横仕切板５の折り起こしをより容易に行うことができる。特に、組み立ての際、側縁８は谷折りに、側縁１１は山折りに折り込まれ、また、上記ミシン目線及びハーフカット線は同一面側からの加工で形成可能であるため組み立て性及び加工性の点から好ましい。
【００３３】
当該仕切体１は、同一形状の２つのシート体２（２ａ、２ｂ）が、上側縦仕切板３の上端間で連結されてなる。この連結部分（上側縦仕切板３の上端）には、折り曲げを容易にするためにミシン目線が形成されている。当該仕切体１は点対称形状である。また、２つのシート体２が備える下向き突起部７の側縁８が同一直線状に配置されるように構成されている。このように構成されていることで、当該仕切体１を組み立てたとき、一対の縦仕切板を中心に両方向に対称に横仕切板５を配設することができる。
【００３４】
当該仕切体１は、図１の平面状のシート形状体から、側縁８を谷折りに、側縁１１を山折りに折り曲げ、さらに２つのシート体２の連結部分１３を山折りに折り曲げることで、図２に示す構造に組み立てることができる。この構造において、縦仕切板（上側縦仕切板３及び下側縦仕切板４）と各横仕切板５とは垂直となるように組み立てられている。当該仕切体１は、このように１枚のシート材からなり、これを折り曲げて使用するものであり、容易に組み立てることができる。
【００３５】
（仕切体付箱）
図３の仕切体付箱２０は、箱２１及びこの箱２１内に収納される仕切体１を備える。
【００３６】
箱２１は、直方体形状を有する段ボール箱やプラスチック箱等の公知の箱である。仕切体１は、上述したように側縁８、１１及び連結部部１３に沿って図２の形状に折り込まれたものである。
【００３７】
当該仕切体付箱２０においては、当該仕切体１が収納されているため、縦仕切板（上側縦仕切板３及び下側縦仕切板４）及び横仕切板５により１０個の平面視正方形状の空間が形成されている。従って、当該仕切体付箱２０によれば、円筒や円柱状等の形状の製品Ｘを効率的に収容することができる。また、当該仕切体付箱２０によれば、備わる仕切体１が底板を有していないため、製品Ｘが箱２０に入った状態で仕切体１を抜き取ることができる。
【００３８】
（仕切体：第二実施形態）
図４の仕切体３１は、１枚のシート材から形成されており、２つのシート体２ｃ、２ｄからなる。
【００３９】
シート体２ｃは、上側縦仕切板３３、下側縦仕切板４、及び４枚の横仕切板５をそれぞれ有する。下側縦仕切板４及び横仕切板５は、図１の仕切体１が備えるものと同様であるので同一番号を付して説明を省略する。
【００４０】
上側縦仕切板３３は、略方形状の上側縦仕切板本体３６と、この上側縦仕切板本体３６の下縁から突出する４つの下向き突起部７とからなる。下向き突起部７は、図１の仕切体１が備えるものと同様であるので同一番号を付して説明を省略する。
【００４１】
上側縦仕切板本体３６は、左端の下向き突起部７の上側にまで伸びた形状である点で、図１の上側縦仕切板本体６と異なる。上側縦仕切板本体３６の上側両端の角は丸められている。
【００４２】
シート体２ｄは、シート体２ｃの鏡像形状を有している。当該仕切体３１は、線対称形状の２つのシート体２（２ｃ、２ｄ）が、上側縦仕切板３３の上端間で連結されてなる。この連結部分（上側縦仕切板３３の上端）には、折り曲げを容易にするためにミシン目線が形成されている。当該仕切体３１は線対称形状である。このように構成されていることで、当該仕切体３１を組み立てたとき、一対の縦仕切板を中心に両方向に対称に横仕切板５を配設することができる。
【００４３】
当該仕切体３１は、図１の仕切体１と同様に、図４の平面状のシート形状体から、側縁８を谷折りに、側縁１１を山折りに折り曲げ、さらに２つのシート体２ｃ、２ｄの連結部分１３を山折りに折り曲げることで組み立てることができる。
【００４４】
（他の実施形態）
なお、本考案の仕切体及び仕切体付箱は上記実施形態に限定されるものではない。例えば、横仕切板の枚数は複数枚であれば特に限定されず、収納する商品の数等に応じて適宜設定すればよい。また、各対をなす下向き突起部と上向き突起部との側縁間の距離を、隣り合う下向き突起部の側縁間の距離（上向き突起部の側縁間の距離に同じ）より小さくしていてもよい。このようにすると、縦仕切板と横仕切板とで平面視において長方形状の空間を形成することができる。さらには、当該仕切体としては、１枚のシート体のみから形成されていてもよいし（例えば図１におけるシート体２ａのみからなる仕切体）、異なる形状の２枚のシート体から構成されていてもよい。
【産業上の利用可能性】
【００４５】
以上のように、本考案の仕切体は通い箱や段ボール箱に収納する製品等を仕切る仕切体として好適に用いることができる。
【符号の説明】
【００４６】
１、３１  仕切体
２、２ａ、２ｂ、２ｃ、２ｄ  シート体
３、３３  上側縦仕切板
４  下側縦仕切板
５  横仕切板
６、３６  上側縦仕切板本体
７、７ａ、７ｂ  下向き突起部
８  側縁
９  下側縦仕切板本体
１０  上向き突起部
１１  側縁
１２ａ、１２ｂ  孔部
１３  連結部分
２０  仕切体付箱
２１  箱
Ｘ  製品
【図１】
0003178905.tif 000003
【図２】
0003178905.tif 000004
【図３】
0003178905.tif 000005
【図４】
0003178905.tif 000006